(57)【特許請求の範囲】
【請求項１】
表示部を覆う表示窓であって、
前記表示部の表示面に対向する表示用開口部が設けられ、前記表示部を覆うように取り付けられる枠体と、
透明な硬質材料からなる窓板と、
前記窓板の外周に装着され、前記枠体の内側面に圧接する無端の第１の突条が外周に沿って設けられるとともに、前記表示面に圧接する無端の第２の突条が下面に設けられるシール部材と
を具備することを特徴とする表示窓。
【請求項２】
前記第１の突条は、前記窓板の外周面に符合する位置に設けられることを特徴とする請求項１に記載の表示窓。
【請求項３】
前記第２の突条は、同心状に複数設けられることを特徴とする請求項１または２に記載の表示窓。
【発明の詳細な説明】
【技術分野】
【０００１】
本発明は、表示部の表示窓に関する。
【背景技術】
【０００２】
下記特許文献１には、表示器をハウジング枠内に組み込み、ハウジング枠と表示器との間に透明軟質材料からなるフロントカバーを介在させた表示装置が開示されている。当該表示装置では、フロントカバーとハウジング枠との重なり合わせ面に、当該面に対して直交方向に突出した突条が全周にわたって形成されるとともに当該突条の根元近傍より左右両側斜め方向にシール舌片が形成される一方、ハウジング枠の突条当接面には、上記突条が嵌入する凹溝が全周にわたって形成され、当該凹溝及び上記突条当接面に突条及びシール舌片が密接することにより表示器に対する防水及び防塵を実現する。
【先行技術文献】
【特許文献】
【０００３】
【特許文献１】実開平６−７７１２８号公報
【発明の概要】
【発明が解決しようとする課題】
【０００４】
しかしながら、上記従来技術では、ハウジング枠がフロントカバーに密接してその隙間を密閉する必要があるため、フロントカバーが軟質材料でなければならない。一般に、軟質材料は硬質材料よりもコスト高であるため、上記従来技術ではコストダウンが困難である。
【０００５】
本発明は、上述した事情に鑑みてなされたものであり、硬質材料を使用して防水及び防塵を実現することによりコストダウンを実現することを目的とする。
【課題を解決するための手段】
【０００６】
上記目的を達成するために、本発明では、第１の解決手段として、表示部を覆う表示窓であって、前記表示部の表示面に対向する表示用開口部が設けられ、前記表示部を覆うように取り付けられる枠体と、透明な硬質材料からなる窓板と、前記窓板の外周に装着され、前記枠体の内側面に圧接する無端の第１の突条が外周に沿って設けられるとともに、前記表示面に圧接する無端の第２の突条が下面に設けられるシール部材とを具備するという手段を採用する。
【０００７】
本発明では、第２の解決手段として、上記第１の解決手段において、前記第１の突条は、前記窓板の外周面に符合する位置に設けられるという手段を採用する。
【０００８】
本発明では、第３の解決手段として、上記第１または第２の解決手段において、前記第２の突条は、同心状に複数設けられるという手段を採用する。
【発明の効果】
【０００９】
本発明によれば、枠体の内側面に圧接する無端の第１の突条がシール部材の外周に沿って設けられているので、枠体とシール部材との隙間に入り込む水または塵が、第１の突条によりくい止められ、表示部まで浸入することを防ぐことができる。また、本発明では、表示部の表示面に圧接する無端の第２の突条がシール部材の下面に設けられているので、表示面と前記下面との隙間に入り込む水または塵が、第２の突条によりくい止められ、表示部まで浸入することを防ぐことができる。さらに、このような本発明では、コスト高な軟質材料ではなく、コスト安な硬質材料からなる窓板が表示部のフロントカバーとして使用されているので、コストダウンが実現できる。
【図面の簡単な説明】
【００１０】
【図１】本発明の実施形態に係る表示窓Ａと、指針式受信機Ｂとの構成を示す平面図（ａ）及びＸ−Ｘ線断面図（ｂ）である。
【図２】本発明の実施形態における枠体１の平面図（ａ）、Ｙ−Ｙ線断面図（ｂ）及び拡大断面図（ｃ）である。
【図３】本発明の実施形態における窓板２の平面図（ａ）及び側面図（ｂ）である。
【図４】本発明の実施形態におけるシール部材３の平面図（ａ）及びＺ−Ｚ断面図（ｂ）及び拡大断面図（ｃ）である。
【発明を実施するための形態】
【００１１】
以下、図面を参照して、本発明の実施形態について説明する。
本実施形態に係る表示窓Ａは、電気式ランダーアングルインジケータシステムにおける指針式受信機Ｂの後述する表示部１０の防水及び防塵を実現するものである。上記指針式受信機Ｂは、船舶の舵角を針により指し示すものであり、図１に示すように、船舶の舵角を針により指し示す表示部１０と、外部から舵角信号を受信する受信部２０とを備える。
【００１２】
表示部１０は、図１に示すように、円形かつ所定の高さを有し、舵角を針により示す舵角指針部１１と、舵角指針部１１の表示内容を制御する表示制御部１２とを備える。
舵角指針部１１は、舵角を回転角によって示す舵角針１１ａと、舵角針１１ａの回転角に応じた目盛が記された目盛板１１ｂとを備える。
【００１３】
表示制御部１２は、舵角針１１ａの回転角を制御する舵角針制御部１２ａと、舵角針制御部１２ａを収容する筐体１２ｂとを備える。筐体１２ｂには、図１及び図２に示すように、フランジ１２ｂ‐１が設けられている。フランジ１２ｂ‐１には、その中央部に目盛板１１ｂが嵌め込まれるとともに、図２に示すように、表示窓Ａとの接触面１２ｂ‐２にフランジ外周１２ｂ−３に沿って等間隔に６つの第１のネジ穴１２ｂ−４が設けられている。なお、目盛板１１ｂ及びフランジ１２ｂ‐１は、本実施形態における表示面を構成する。
上記構成の表示部１０は、受信部２０が外部から受信した舵角信号に基づいて船舶の舵角を追随するように舵角針制御部１２ａによって舵角針１１ａの回転角が制御される。
【００１４】
表示窓Ａは、上記舵角指針部１１を覆い、図１及び図２に示すように、枠体１、窓板２、シール部材３及び固定ネジ４を備える。
枠体１は、シール部材３を保護する外枠であり、防水性を有する金属または合成樹脂からなる。枠体１は、図１及び図２に示すように、舵角指針部１１よりも大きな円形に形成されるとともに所定の高さを有し、その中央部には目盛板１１ｂ、つまり表示面に対向する表示用開口部１ａが設けられている。表示用開口部１ａは、図１に示すように、目盛板１１ｂに記された全ての目盛りが現れる大きさに形成され、シール部材３に支持される窓板２によって塞がれている。
【００１５】
また、枠体１は、図２に示すように、固定ネジ４に螺着される６個の第２のネジ穴１ｂが枠体上面１ｃに枠体外周１ｄに沿って等間隔に設けられている。この第２のネジ穴１ｂは、筐体１２ｂの第１のネジ穴１２ｂ−４に対応して設けられ、枠体１の高さ方向に貫通している。枠体１は、第２のネジ穴１ｂに螺着された固定ネジ４が第１のネジ穴１２ｂ−４にネジ止めされることで、固定される。
【００１６】
窓板２は、ガラスなどの透明な板状の硬質材料からなり、図１及び図３に示すように、表示用開口部１ａよりも大きな円形に形成されている。窓板２は、外周部２ａに装着されるシール部材３によって支持されており、表示用開口部１ａを塞ぐように配置される。このような窓板２の外周部２ａの角は、面取りされている。
【００１７】
シール部材３は、ゴムなどの弾性材料からなり、図４に示すように、無端の環状に形成され、図１に示すように、枠体内側面１ｅに沿って接するように設けられている。シール部材３は、図１及び図４に示すように、枠体内側面１ｅに圧接する無端の第１の突条３ａがシール部材上部外周３ｂに沿って設けられている。
【００１８】
これにより、表示用開口部１ａから枠体内側面１ｅとシール部材上部外周３ｂとの隙間に入り込んだ水または塵は、第１の突条３ａによりくい止められ、表示部１０まで浸入できない。また、上記第１の突条３ａは、窓板２の外周面２ｂに符合する位置に設けられている。これにより、第１の突条３ａが窓板２により枠体内側面１ｅに強く圧接されるので、水または塵が表示部１０に浸入することを強固に防ぐことができる。
【００１９】
また、シール部材３は、シール部材下面３ｃが対向する目盛板１１ｂ及びフランジ１２ｂ‐１（つまり表示面）に圧接する無端の第２の突条３ｄがシール部材下面３ｃにシール部材下部外周３ｅに沿って４重に設けられている。つまり、４重の第２の突条３ｄは、シール部材下面３ｃに同心状に設けられている。これにより、目盛板１１ｂ及びフランジ１２ｂ‐１とシール部材３との隙間に入り込んだ水または塵は、第２の突条３ｄによりくい止められ、表示部１０まで浸入できない。
【００２０】
また、シール部材３は、図１及び図４に示すように、枠体内側面１ｅに接する無端の第３の突条３ｆが、第１の突条３ａの下側のシール部材中部外周３ｇに沿って設けられている。第３の突条３ｆは、枠体１内にシール部材３を安定的に固定するために設けられたものであり、図１、図２及び図４に示すように、枠体内側面１ｅに設けられた枠体固定溝１ｆに嵌め込まれている。なお、第３の突条３ｆは、図４に示すように、枠体固定溝１ｆに嵌め込みやすいように角が面取りされている。
【００２１】
また、シール部材３のシール部材内側面３ｈには、窓板２の外周部２ａが嵌め込まれるシール部材固定溝３ｉが形成されている。シール部材３は、シール部材固定溝３ｉに窓板２の外周部２ａが嵌め込まれることで、窓板２に装着される。これにより、窓板２は、シール部材３によって支持され、表示用開口部１ａを塞ぐように固定される。
【００２２】
次に、上記構成の表示窓Ａの取り付け方法について説明する。
まず、シール部材固定溝３ｉに窓板２を嵌め込み、窓板２とシール部材３とを一体化させる。次に、このようなシール部材３を、第３の突条３ｆが枠体固定溝１ｆに入り込むように、枠体１の内側に嵌め込む。これにより、枠体１の表示用開口部１ａは、窓板２によって塞がれる。
【００２３】
そして、このように一体化された表示窓Ａを、シール部材３を下側にして、舵角指針部１１に被せる。すなわち、表示窓Ａを、シール部材下面３ｃと目盛板１１ｂ及びフランジ１２ｂ‐１とが接するように、舵角指針部１１に被せる。そして、固定ネジ４を、枠体１の第２のネジ穴１ｂと、筐体１２ｂの第１のネジ穴１２ｂ−４とに螺着させる。これにより、表示窓Ａは、筐体１２ｂにネジ止めされ、図１に示すように、舵角指針部１１の舵角針１１ａ及び目盛板１１ｂが目視できるように固定される。
【００２４】
以上のように、本実施形態では、枠体１の枠体内側面１ｅに圧接する無端の第１の突条３ａがシール部材上部外周３ｂに沿って設けられることで、第１の突条３ａが枠体内側面１ｅに密着する。これにより、本発明では、表示用開口部１ａから枠体内側面１ｅとシール部材上部外周３ｂとの隙間に入り込んだ水または塵が、第１の突条３ａによってくい止められるので、水または塵が表示部１０に浸入することを防ぐことができる。また、第１の突条３ａは、窓板２の外周面２ｂに符合する位置に設けられているので、窓板２により枠体内側面１ｅに強く圧接される。これにより、水または塵が表示部１０に浸入することを強固に防ぐことができる。
【００２５】
また、本実施形態では、目盛板１１ｂ及び枠体内側面１ｅに圧接する無端の第２の突条３ｄがシール部材下面３ｃにシール部材下部外周３ｅに沿って設けられることで、第２の突条３ｄが目盛板１１ｂ及びフランジ１２ｂ‐１に密着する。これにより、本実施形態では、目盛板１１ｂ及び枠体内側面１ｅとシール部材下面３ｃとの隙間に入り込んだ水または塵が、第２の突条３ｄによってくい止められるので、水または塵が表示部１０に浸入することを防ぐことができる。さらに、このような本実施形態では、コスト高な軟質材料ではなく、コスト安な硬質材料からなる窓板２が表示部１０のフロントカバーとして使用されているので、コストダウンが実現できる。
【００２６】
以上、本発明の実施形態について説明したが、本発明は上記実施形態に限定されることなく、例えば以下のような変形が考えられる。
（１）上記実施形態における第１の突条３ａは、１つの突条であるが、複数あってもよい。つまり、高さ方向に並ぶ複数の第１の突条３ａが、シール部材上部外周３ｂに沿って設けられるようにしてもよい。
また、上記実施形態では、４重の第２の突条３ｄが、シール部材下部外周３ｅに沿って設けられているが、本発明はこれに限定されない。つまり、第２の突条３ｄは、４つに限定されず、１つ以上であればよい。
【００２７】
（２）上記実施形態に係る表示窓Ａは、船舶の舵角を針により指し示す指針式受信機Ｂの表示部１０を、水または塵から守るために、覆っていてもよい。、本発明はこれに限定されない。
つまり、表示窓Ａは、船舶に装備されている指針式受信機Ｂ以外の計器の表示部を、水や塵から守るために、覆っていてもよい。さらに、船舶に装備されている計器以外の表示部を、水や塵から守るために、覆っていてもよい。
【００２８】
（３）上記実施形態に係る表示窓Ａは、枠体１に６つの第２のネジ穴１ｂが設けられ、第２のネジ穴１ｂそれぞれに固定ネジ４が螺着され、当該固定ネジ４により筐体１２ｂに固定されているが、本発明はこれに限定されない。
つまり、表示窓Ａは、筐体１２ｂに安定的に固定されていればよいので、等間隔に配置された３つ以上の固定ネジ４で筐体１２ｂに固定されていればよい。また、表示窓Ａは、固定ネジ４ではなく、接着材によって筐体１２ｂに固定されていてもよい。
【００２９】
（４）上記実施形態における窓板２の素材として、ガラスを用いているが、本発明はこれに限定されない。
例えば、ガラスの代わりに、透明なアクリル樹脂などの合成樹脂を窓板２の素材として用いてもよい。
【符号の説明】
【００３０】
Ａ…表示窓、Ｂ…指針式受信機、１…枠体、２…窓板、３…シール部材、４…固定ネジ、１ａ…表示用開口部、１ｂ…第２のネジ穴、１ｃ…枠体上面、１ｄ…枠体外周、１ｅ…枠体内側面、１ｆ…枠体固定溝、２ａ…外周部、３ａ…第１の突条、３ｂ…シール部材上部外周、３ｃ…シール部材下面、３ｄ…第２の突条、３ｅ…シール部材下部外周、３ｆ…第３の突条、３ｇ…シール部材中部外周、３ｈ…シール部材内側面、３ｉ…シール部材固定溝、１０…表示部、２０…受信部、１１…舵角指針部、１２…表示制御部、１１ａ…舵角針、１１ｂ…目盛板、１２ａ…舵角針制御部、１２ｂ…筐体、１２ｂ‐１…フランジ、１２ｂ−２…接触面、１２ｂ−３…フランジ外周、１２ｂ−４…第１のネジ穴
【図１】
0005481418.tif 000002
【図２】
0005481418.tif 000003
【図３】
0005481418.tif 000004
【図４】
0005481418.tif 000005